(57)【要約】【課題】煙検知部を小型化することができ、ひいては煙感知器全体の小型化を図ることができる光電式煙感知器を提供する。【解決手段】検煙室１４内に、光を反射可能な鏡面を有する鏡部材１６を設置し、発光素子５から照射された照射光を鏡部材１６により反射させ、その反射光を検知領域１７へ到達させる。そして、その反射光が煙の発生により散乱した場合にのみ、当該散乱光を受光素子６に到達させるようにした。したがって、発光素子５と受光素子６とをたとえば光軸同士が平行となるように設置する等、従来よりも近接させて配置させることが可能となり、検煙室１４の小型化、ひいては光電式煙感知器１全体の小型化を図ることができる。【選択図】図３
2008242627.tif 000002
【特許請求の範囲】
【請求項１】
外部からの光の入射を阻止するとともに煙の進入を可能とするラビリンス壁と、前記ラビリンス壁により囲まれた検煙室内に設置される発光部材と、光軸が前記発光部材の光軸と交差するように前記検煙室内に設置される受光部材とを備え、前記検煙室内に進入した煙が前記発光部材の光軸と前記受光部材の光軸とが交差する検知空間に到達すると、前記発光部材から照射された照射光が前記検知空間にて散乱し、その散乱光を前記受光部材が受光することにより、前記検煙室内への煙の進入を検知する光電式煙感知器であって、
前記検煙室内に、光を反射可能な鏡面を有する鏡部材を設置し、
前記照射光が前記鏡部材により反射され、その反射光が前記検知空間に到達して散乱すると、当該散乱光が前記受光部材に到達するようにしたことを特徴とする光電式煙感知器。
【請求項２】
外部からの光の入射を阻止するとともに煙の進入を可能とするラビリンス壁と、前記ラビリンス壁により囲まれた検煙室内に設置される発光部材と、光軸が前記発光部材の光軸と交差するように前記検煙室内に設置される受光部材とを備え、前記検煙室内に進入した煙が前記発光部材の光軸と前記受光部材の光軸とが交差する検知空間に到達すると、前記発光部材から照射された照射光が前記検知空間にて散乱し、その散乱光を前記受光部材が受光することにより、前記検煙室内への煙の進入を検知する光電式煙感知器であって、
前記検煙室内に、光を反射可能な鏡面を有する鏡部材を設置し、
前記散乱光が前記鏡部材により反射され、その反射光が前記受光部材に到達するようにしたことを特徴とする光電式煙感知器。
【請求項３】
前記発光部材と前記受光部材とが近接設置されていることを特徴とする請求項１又は２記載の光電式煙感知器。
【請求項４】
前記発光部材の光軸と前記受光部材の光軸とが平行であることを特徴とする請求項３記載の光電式煙感知器。
【発明の詳細な説明】
【技術分野】
【０００１】
本発明は、煙による散乱光を検出して、煙の発生を感知する光電式煙感知器に関するものである。
【背景技術】
【０００２】
従来、外部からの光の入射を阻止するとともに煙の進入を可能とするラビリンス壁により囲まれた検煙室内に、光軸同士が交差するように発光部材と受光部材とを夫々設置し、発光部材から照射された照射光が煙により散乱すると、受光部材が当該散乱光を受光して煙の発生を検知する光電式煙感知器としては、たとえば特許文献１や特許文献２に記載されているようなものがある。
【０００３】
【特許文献１】特開平６−３４２４９７号公報
【特許文献２】特開平９−２３１４８５号公報
【０００４】
ここで、従来一般的な光電式煙感知器について、図６をもとに説明する。図６は、光電式煙感知器５１の煙検知部を示した断面説明図である。
光電式煙感知器５１は、水平断面く字状に折り曲げ形成された複数の壁片を、外部からの光の入射を阻止するとともに煙の進入を可能に周設してなるラビリンス壁５２内を検煙室としたものである。当該検煙室には、照射角ｎで光を照射可能な発光部材５３が設置されているとともに、受光角ｏである受光部材５４が、当該受光部材５４の光軸と発光部材５３の光軸とが交差し、且つ、発光部材５３の照射光を直接受光しない位置（すなわち、発光部材５３の照射領域から外れた位置）に設置されている。そして、発光部材５３の照射領域と受光部材５４の受光領域とが交わる領域が検知領域（検知空間）５５となっている。
【０００５】
上記光電式煙感知器５１では、図示しない制御装置による制御のもと、発光部材５３から所定の周期で光を照射しており、煙が検煙室内へ進入していない通常時には、当該照射光が受光部材５４に到達することはなく、当然煙の発生等として検知されたりしない。一方、煙が検煙室内へ進入して照射領域内へ到達すると、当該煙により照射光が散乱し、散乱光となる。そして、散乱光のうち検知領域５５内で生じた散乱光が受光部材５４に到達して検知されることにより、光電式煙感知器５１は、煙の発生を検知することになる。
【発明の開示】
【発明が解決しようとする課題】
【０００６】
ここで、一般的な従来の光電式煙感知器５１では、発光部材５３と受光部材５４とを、その光軸同士の交差角度が鈍角（又は直角程度）となるようにそれぞれ設置している。したがって、発光部材５３と受光部材５４との間にある程度の距離が必要となり、煙検知部の小型化を阻害する要因となっていた。
【０００７】
そこで、本発明は、上記問題に鑑みなされたものであって、煙検知部を小型化することができ、ひいては煙感知器全体の小型化を図ることができる光電式煙感知器を提供しようとするものである。
【課題を解決するための手段】
【０００８】
上記目的を達成するために、本発明のうち請求項１に記載の発明は、外部からの光の入射を阻止するとともに煙の進入を可能とするラビリンス壁と、ラビリンス壁により囲まれた検煙室内に設置される発光部材と、光軸が発光部材の光軸と交差するように検煙室内に設置される受光部材とを備え、検煙室内に進入した煙が発光部材の光軸と受光部材の光軸とが交差する検知空間に到達すると、発光部材から照射された照射光が検知空間にて散乱し、その散乱光を受光部材が受光することにより、検煙室内への煙の進入を検知する光電式煙感知器であって、検煙室内に、光を反射可能な鏡面を有する鏡部材を設置し、照射光が鏡部材により反射され、その反射光が検知空間に到達して散乱すると、当該散乱光が受光部材に到達するようにしたことを特徴とする。
この構成によれば、検煙室内に、光を反射可能な鏡面を有する鏡部材を設置し、照射光を鏡部材により反射させて、その反射光を検知空間へ到達させるようにしているため、発光部材と受光部材とを、たとえば光軸同士が平行となるように設置する等、従来よりも近接させて配置させることが可能となり、検煙室の小型化、ひいては光電式煙感知器全体の小型化を図ることができる。
【０００９】
また、上記目的を達成するために、本発明のうち請求項２に記載の発明は、外部からの光の入射を阻止するとともに煙の進入を可能とするラビリンス壁と、ラビリンス壁により囲まれた検煙室内に設置される発光部材と、光軸が発光部材の光軸と交差するように検煙室内に設置される受光部材とを備え、検煙室内に進入した煙が発光部材の光軸と受光部材の光軸とが交差する検知空間に到達すると、発光部材から照射された照射光が検知空間にて散乱し、その散乱光を受光部材が受光することにより、検煙室内への煙の進入を検知する光電式煙感知器であって、検煙室内に、光を反射可能な鏡面を有する鏡部材を設置し、散乱光が鏡部材により反射され、その反射光が受光部材に到達するようにしたことを特徴とする。
この構成によれば、検煙室内に、光を反射可能な鏡面を有する鏡部材を設置し、散乱光を鏡部材により反射させて、その反射光を受光部材に到達させるようにしているため、発光部材と受光部材とを、たとえば光軸同士が平行となるように設置する等、従来よりも近接させて配置させることが可能となり、検煙室の小型化、ひいては光電式煙感知器全体の小型化を図ることができる。
【００１０】
請求項３に記載の発明は、請求項１又は２に記載の発明において、発光部材と受光部材とが近接設置されていることを特徴とする。
この構成により、検煙室を小型化することができる、ひいては光電式煙感知器全体を小型化することができる。
【００１１】
請求項４に記載の発明は、請求項３に記載の発明において、発光部材の光軸と受光部材の光軸とが平行であることを特徴とする。
この構成により、検煙室を小型化することができる、ひいては光電式煙感知器全体を小型化することができる。
【発明の効果】
【００１２】
本発明によれば、検煙室内に、照射光又は散乱光の少なくとも何れか一方を反射させる鏡部材を設置しているため、従来と比較して、発光素子と受光素子とを近接させて配置させることができ、検煙室の小型化、ひいては光電式煙感知器全体の小型化を図ることができる。
【発明を実施するための最良の形態】
【００１３】
以下、本発明の一実施形態となる光電式煙感知器（以下、煙感知器と称す）について、図面をもとに説明する。
【００１４】
［実施例１］
まず、本発明の第１実施例について、図１〜図３をもとに説明する。
図１は、煙感知器１の外観を示した斜視説明図であり、図２は、煙感知器１を分解した状態を示した斜視説明図、図３は、煙感知器１の煙検知部を示した断面説明図である。
【００１５】
煙感知器１は、上ケース２及び下ケース３からなる本体ケース内に、ラビリンス壁４を有するラビリンス部材、発光素子（発光部材）５や受光素子（受光部材）６が設置された回路基板７等からなる煙検知機構を収納してなるもので、たとえば天井面等から後述する下ケース３の筒状部８を露出させた状態等で使用される。
上ケース２は、たとえば天井内部に設置するための設置部等を有する合成樹脂製ケース部材で、当該上ケース２の下面には、回路基板７を取り付けるための取付突起９、９等が設けられている。また、下ケース３は、上ケース２の下面を覆うように組み付け可能な合成樹脂製ケース部材であって、当該下ケース３の下面略中央には下方へ円筒部８が突設されている。該円筒部８内には、後述するラビリンス壁４を備えたラビリンス部材が収納可能となっている。さらに、円筒部８の周面には、複数の窓１０、１０・・が開設されており、該窓１０、１０・・を介して煙が円筒部８内（すなわち、煙検知部内）へ進入するようになっている。
【００１６】
また、上記下ケース３の円筒部８内には、薄い円板部材の周縁に沿って、水平断面く字状の壁片を複数立設してなるラビリンス壁４を設けたラビリンス部材が収納される。尚、ラビリンス部材内への虫等の進入を防止するための防虫網１１が、ラビリンス壁４の周囲を覆うように取り付けられている。
さらに、ラビリンス壁４の上面を覆うように装着される中ケース１２を介して、その上面と上ケース２との間に回路基板７が配置される。回路基板７には、照射角ｎで光を照射可能な発光素子５、受光角ｏの受光素子６、発光素子５を所定の周期で作動させるための制御装置（図示せず）等が搭載されており、取付突起９、９へのネジ止めにより固定されている。発光素子５及び受光素子６は、回路基板７の下面から下方へ突出するように設けられており、煙感知器１の組み立て状態において、中ケース１２に開設された挿通孔１３を介してラビリンス壁４により囲まれた検煙室１４内に位置するようになっている。尚、１５は、挿通孔１３内を挿通する発光素子５及び受光素子６を保持するためのホルダーである。
【００１７】
ここで、煙感知器１における煙検知部の構成について、以下説明する。
煙検知部は、ラビリンス壁４、検煙室１４内に配置される発光素子５、受光素子６、及び鏡面を有する鏡部材１６等から構成される。ラビリンス壁４は、上述したように複数の壁片を立設してなるもので、検煙室１４外部からの光の入射を阻止し、煙のみ検煙室１４内へ進入可能としている。そして、当該ラビリンス壁４により囲まれた検煙室１４内には、受光素子６が、ラビリンス壁４の近傍に配置されているとともに、発光素子５が、受光素子６に近接した位置で、且つ、その光軸と受光素子６の光軸とが平行となる（尚、照射方向と受光方向とは正逆となる）ような姿勢で配置されている。また、検煙室１４内には、鏡部材１６が、発光素子５から照射される照射光を反射するように設置されており、照射光を反射した反射光による反射領域と受光領域とが交わる領域を検知領域（検知空間）１７としている。尚、検知領域１７の広さが鏡部材１６を設置していない従来の煙感知器と比較して同程度となるよう（すなわち、感度が同程度となるよう）に、且つ、反射光が直接受光素子６に到達しないように、たとえば鏡部材１６と発光素子５との距離や発光素子５の光軸に対する鏡部材１６の傾斜角度等は調整されている。
【００１８】
このような煙検知部においては、回路基板７に搭載されている制御装置による制御のもと、発光素子５から所定の周期で光が照射されており、当該照射光は鏡部材１６により反射光となって検知領域１７へ到達する。そして、煙が検煙室内へ進入していない通常時では、検知領域１７へ到達した反射光が受光素子６へ到達することはなく、当然煙の発生等が検知されたりしない。
一方、煙が検煙室１４内へ進入して照射領域内へ到達すると、当該煙により照射光及び反射光が散乱し、散乱光となる。そして、散乱光のうち検知領域１７内で生じた散乱光（すなわち、検知領域１７へ到達した反射光による散乱光）が受光素子６に到達して検知されると、煙の発生が検知されることになる。
【００１９】
以上のように構成される煙感知器１によれば、検煙室１４内に鏡部材１６を設置しており、当該鏡部材１６により発光素子５から照射される照射光を反射させ、反射光を検知領域１７へ到達させて煙の発生を検知可能としている。したがって、発光素子５と受光素子６とを、光軸同士が平行となるように設置する等、従来よりも近接させて配置させることが可能となり、検煙室１４の小型化、ひいては煙感知器１全体の小型化を図ることができる。
【００２０】
［実施例２］
次に、本発明の第２実施例について、図４をもとに説明する。尚、第２実施例の煙感知器は、第１実施例に記載の煙感知器１と略同様の構成を有するもので、ここでは構成の異なる煙検知部についてのみ説明する。
【００２１】
第２実施例の煙感知器においても、その煙検知部は、ラビリンス壁４、検煙室１４内に配置される発光素子５、受光素子６、及び鏡面を有する鏡部材１６等から構成されており、第１実施例に記載の煙感知器１同様、発光素子５と受光素子６とが、互いに近接した位置で、且つ、光軸同士が平行となるような姿勢で配置されている。そして、第２実施例の煙感知器においては、鏡部材１６が、検知領域１７内で生じた散乱光を反射させて受光素子６へ到達させるような姿勢で設置されている。尚、第２実施例の煙検知部においては、その検知領域１７の広さも鏡部材１６を設置していない従来の煙感知器と比較して同程度となるよう（すなわち、感度が同程度となるよう）に、且つ、照射光を反射した光及び検知領域１７で散乱した散乱光が直接受光素子６に到達しないように、たとえば鏡部材１６と発光素子５及び受光素子６との距離、受光素子６の光軸に対する鏡部材１６の傾斜角度等が調整されている。
【００２２】
第２実施例の煙検知部においても、回路基板７に搭載されている制御装置による制御のもと、発光素子５から所定の周期で光が照射されている。そして、煙が検煙室内へ進入していない通常時では、検知領域１７へ到達した照射光が受光素子６へ到達することはなく、当然煙の発生等が検知されたりしない。
一方、煙が検煙室１４内へ進入して照射領域内へ到達すると、当該煙により照射光が散乱し、散乱光となる。そして、散乱光のうち検知領域１７内で生じた散乱光が鏡部材１６により反射され、その反射光が受光素子６へ到達して検知されると、煙の発生が検知されることになる。
【００２３】
以上のように構成される煙検知部を有する第２実施例の煙感知器によれば、検煙室１４内に鏡部材１６を設置しており、当該鏡部材１６により検知領域１７内で生じた散乱光を反射させ、その反射光を受光素子６へ到達させて煙の発生を検知可能としている。したがって、発光素子５と受光素子６とを、光軸同士が平行となるように設置する等、従来よりも近接させて配置させることが可能となり、検煙室１４の小型化、ひいては煙感知器全体の小型化を図ることができる。
【００２４】
［実施例３］
さらに、本発明の第３実施例について、図５をもとに説明する。尚、第３実施例の煙感知器も、第１実施例に記載の煙感知器１と略同様の構成を有するもので、ここでは構成の異なる煙検知部についてのみ説明する。また、図５のみ煙検知部を拡大して示す。
【００２５】
第３実施例の煙感知器では、その煙検知部が、ラビリンス壁４と、検煙室１４内に配置される発光素子５と、受光素子６と、鏡面を有する第１鏡部材１６ａ及び第２鏡部材１６ｂと、遮光片１９とから構成されている。発光素子５及び受光素子６は、第１実施例に記載の煙感知器１同様、互いに近接した位置で、且つ、光軸同士が平行となるような姿勢で配置されている。そして、発光素子５と受光素子６との間には遮光片１９が立設されており、発光素子５からの照射光が直接受光素子６に到達してしまう事態を防止可能となっている。
【００２６】
また、第３実施例の煙感知器では、検煙室１４内に第１鏡部材１６ａと第２鏡部材１６ｂとが設置されている。第１鏡部材１６ａは、第１実施例に記載の鏡部材同様、発光素子５から照射される照射光を反射するもので、当該反射光の反射領域と受光素子６の受光領域とが交わる領域が第１検知領域１７ａとなる。一方、第２鏡部材１６ｂは、第２実施例に記載の鏡部材同様、照射光が第１鏡部材１６ａへ到達する前に第２検知領域１７ｂ内で散乱した場合に、当該散乱光を反射させて受光素子６へ到達させるようにしたものである。このように、第３実施例の煙感知器においては、第１検知領域１７ａと第２検知領域１７ｂとを合わせた検知領域が従来の煙感知器と略同程度となるように、第１鏡部材１６ａ及び第２鏡部材１６ｂが設置されている。尚、第３実施例の煙感知器においても、発光素子５から照射された照射光及び当該照射光を反射した反射光が直接受光素子６に到達することのないよう、たとえば第１鏡部材１６ａ及び第２鏡部材１６ｂの位置関係、両鏡部材１６ａ、１６ｂと発光素子５及び受光素子６との距離、発光素子５及び受光素子６の光軸に対する両鏡部材１６ａ、１６ｂの傾斜角度等が調整されている。
【００２７】
上述したような第３実施例においても、回路基板７に搭載されている制御装置による制御のもと、発光素子５から所定の周期で光が照射されている。そして、煙が検煙室内へ進入していない通常時では、検知領域１７へ到達した照射光が受光素子６へ到達することはなく、当然煙の発生等が検知されたりしない。
一方、煙が検煙室１４内へ進入して照射領域内へ到達すると、当該煙により照射光が散乱し、散乱光となる。そして、散乱光のうち第１検知領域１７ａ内で生じた散乱光（すなわち、第１検知領域１７ａへ到達した反射光による散乱光）が受光素子６に到達して検知されると、煙の発生が検知されることになる。また、照射光が第１鏡部材１６ａへ到達前に第２検知領域１７ｂ内で散乱した場合、当該散乱光が第２鏡部材１６ｂにより反射されて、その反射光が受光素子６へ到達して検知されると、煙の発生が検知されることになる。
【００２８】
以上のように構成される煙検知部を有する第３実施例の煙感知器によれば、検煙室１４内に第１鏡部材１６ａ及び第２鏡部材１６ｂを設置しており、第１鏡部材１６ａにより発光素子５から照射される照射光を反射させ、当該反射光を第１検知領域１７ａへ到達させて煙の発生を検知可能としている。また、照射光が第１鏡部材１６ａで反射される前に第２検知領域１７ｂ内で散乱した場合、当該散乱光を第２鏡部材１６ｂにより反射して、その反射光を受光素子６へ到達させて煙の発生を検知するようになっている。したがって、発光素子５と受光素子６とを、光軸同士が平行となるように設置する等、従来よりも非常に近接させて配置させることが可能となり、検煙室１４の更なる小型化、ひいては煙感知器全体の更なる小型化を図ることができる。
また、発光素子５と受光素子６との間に、照射光の受光素子６への直接の到達を防止するための遮光片１９を設置しているため、煙の発生以外での誤動作を効果的に防止することができるし、発光素子５と受光素子６とを一層近接させて配置させることができる。
【００２９】
なお、本発明の煙感知器に係る構成は、上記実施形態に記載の態様に何ら限定されるものではなく、鏡部材１６、発光素子５、受光素子６、及び遮光片１９等に係る構成を、本発明の趣旨を逸脱しない範囲で、必要に応じて適宜変更することができる。
【００３０】
たとえば、上記実施形態においては、第３実施例の煙感知器にのみ遮光片１９を設ける構成としているが、当該遮光片１９を第１実施例や第２実施例に記載の煙感知器に設けることも当然可能であるし、遮光片１９を複数設けてもよい。また、ラビリンス壁４の一部に発光素子５や受光素子６を埋め込むように設置することにより、ラビリンス壁４に遮光片１９としての機能をもたせたりすることも可能である。
さらに、各実施例における鏡部材１６（１６ａ、１６ｂ）の大きさや光軸に対する傾斜角度、発光素子５や受光素子６の位置関係や照射角ｎ、受光角ｏ等は適宜設計変更可能である。
【図面の簡単な説明】
【００３１】
【図１】第１実施例の煙感知器の外観を示した斜視説明図である。
【図２】第１実施例の煙感知器を分解した状態を示した斜視説明図である。
【図３】第１実施例の煙感知器における煙検知部を示した断面説明図である。
【図４】第２実施例の煙感知器における煙検知部を示した断面説明図である。
【図５】第３実施例の煙感知器における煙検知部を示した断面説明図である。
【図６】従来の煙感知器における煙検知部を示した断面説明図である。
【符号の説明】
【００３２】
１・・煙感知器、２・・上ケース、３・・下ケース、４・・ラビリンス壁、５・・発光素子（発光部材）、６・・受光素子（受光部材）、７・・回路基板、１１・・防虫網、１４・・検煙室、１６・・鏡部材、１６ａ・・第１鏡部材、１６ｂ・・第２鏡部材、１７・・検知領域（検知空間）、１７ａ・・第１検知領域（検知空間）、１７ｂ・・第２検知領域（検知空間）、１９・・遮光片（遮光部材）。
【図１】
2008242627.tif 000003
【図２】
2008242627.tif 000004
【図３】
2008242627.tif 000005
【図４】
2008242627.tif 000006
【図５】
2008242627.tif 000007
【図６】
2008242627.tif 000008